(57)【要約】【課題】構造が簡単で、取り扱いやすく且つ運転操作が容易で、更に効率の良い、新規な塗料廃液の処理方法を提供する。【解決手段】本発明に係る塗料を含む廃液の処理方法は、処理液、塗料を含む廃液の少なくとも一方を細分した液滴として処理槽中に供給して、処理液相と廃液相とを混合せしめて乳濁した状態での流れ（エマルションフロー）を形成せしめて該廃液を処理することを特徴とする。 本発明によると、生物的な廃水処理方式に比べて、簡単で容易に塗料廃液を処理することが可能であり、廃液の発生場所で処理することが可能である。【選択図】図１
2011010587.tif 000002
【特許請求の範囲】
【請求項１】
処理液、塗料を含む廃液の少なくとも一方を細分した液滴として処理槽中に供給して、処理液相と廃液相とを混合せしめて乳濁した状態での流れ（エマルションフロー）を形成せしめて該廃液を処理することを特徴とする塗料を含む廃液の処理方法。
【請求項２】
処理槽の一方の側から細分された処理液を供給し、対向する他の側から細分された、あるいは細分されていない塗料を含む廃液を供給することを特徴とする請求項１に記載の塗料を含む廃液の処理方法。
【請求項３】
前記塗料を含む廃液が、水系の廃液であり、前記処理液が非水溶性有機溶剤であることを特徴とする請求項１又は２に記載の塗料を含む廃液の処理方法
【請求項４】
処理槽に塩析剤が添加されてなることを特徴とする請求項１乃至３のいずれかに記載の塗料を含む廃液の処理方法。
【請求項５】
処理槽に珪酸塩鉱物が添加されてなることを特徴とする請求項１乃至４のいずれかに記載の塗料を含む廃液の処理方法。
【請求項６】
処理槽に微生物酵素液を含む凝集助剤が添加されてなることを特徴とする請求項１乃至５のいずれかに記載の塗料を含む廃液の処理方法。
【請求項７】
請求項３乃至６のいずれか１項に記載の塗料を含む廃液の処理方法により再利用可能な排水を得ることを特徴とする塗料を含む廃液の処理方法。
【請求項８】
前記塗料を含む廃液に代えて、塗装の前処理工程、機械加工工程、樹脂製造工程、顔料製造工程、食品製造工程、又は洗浄工程から発生する有機成分を含有する水系の廃液を処理することを特徴とする請求項３乃至７のいずれか１項に記載の水系廃液の処理方法。
【請求項９】
請求項７に記載の塗料を含む廃液の処理方法を実施する装置を備えたことを特徴とする塗装ブースシステム。
【発明の詳細な説明】
【技術分野】
【０００１】
本発明は、塗料を含む廃液、その他有機成分を含有する廃液を処理する方法、並びに、塗料を含む廃液の処理装置を備えた塗装ブースに関するものである。
【背景技術】
【０００２】
塗料を含む廃液（以下、本明細書中において「塗料廃液」という）を処理する従来の方法としては、例えば担体に固定させた微生物により生物学的に塗料廃液を分解処理する方法が知られている（特許文献１参照）。【０００３】
一方、廃液処理などの用途には特に言及がないと思われるが、水溶液に含まれる金属イオンなどの成分を、抽出剤を含む水と混じり合わない溶媒（有機溶媒など）に抽出する液−液抽出法（溶媒抽出法）を実現するための装置として、送液ポンプを使い水溶液を微細化ヘッドを通じて抽出溶媒の中に導入することにより、水相と溶媒相とが混合してエマルション状態の流れであるエマルションフローを作ることを特徴とする連続液−液抽出装置が知られている（特許文献２参照）。
【先行技術文献】
【特許文献】
【０００４】
【特許文献１】特開２００８−１８３５３１号公報
【特許文献２】特開２００８−２８９９７５号公報
【発明の開示】
【発明が解決しようとする課題】
【０００５】
従来の微生物による生物学的な塗料廃液の分解処理方法は、分解処理に長時間を要するため、微生物による分解活動を可能な限り効率よく行わせるために微生物処理槽内のｐＨや液温等を常時適正に制御したり、微生物の栄養源や空気（酸素）の供給等を行ったりすることが必要とされるなど、装置の運転には複雑な制御が求められる。さらに、微生物の活動条件が適正領域から外れた場合には、微生物が死滅したり、微生物の活動が低下し、塗料廃液の処理が適正に行われなくなってしまうといった運転上の問題もある。【０００６】
本発明は、構造が簡単で、取り扱いやすく且つ運転操作が容易で、更に効率の良い、新規な塗料廃液の処理方法を提供することを目的とする。
【課題を解決するための手段】
【０００７】
本発明に係る塗料を含む廃液の処理方法は、処理液又は塗料を含む廃液の少なくとも一方を細分した液滴として処理槽中に供給することにより処理液相と廃液相とを混合し、乳濁した状態でのエマルションフローを形成せしめて塗料廃液を処理することを特徴とする。【０００８】
塗料廃液の処理とは、具体的には塗料廃液に含まれる顔料粒子と界面活性剤と処理液である溶剤とを効率よく分離し除去することである。一方、エマルションフローを利用した溶媒抽出法は、液−液抽出、すなわち、水溶液中に溶存する目的成分を水と混じり合わない有機溶媒に抽出することを可能にする技術である。従って、上記構成の如く、エマルションフローを利用した溶媒抽出法を、塗料廃液の処理に適用することにより、微生物による分解を用いない新規な廃液処理方法を実現することができる。【０００９】
但し、上述の従来から知られるエマルションフローを利用した溶媒抽出方法は、抽出溶媒の比重によって下降流若しくは上昇流のいずれか一方向、いわゆる「単流方式」が示されているが、塗料廃液の処理に用いる場合には、より処理効率を高めるためには、「対向流」すなわち処理液相と廃液相とを対向して混合する方式が好ましい。【００１０】
上記構成によれば、塗料廃液中に含まれる樹脂粒子、顔料粒子等の固形の不純物は廃液相と処理液相との界面に凝析して分離され、また、塗料中の溶剤その他の有機溶剤可溶成分は処理液相（抽出液相）に抽出され、水系の塗料廃液中の水以外の不純物が取り除かれることになる。【００１１】
本発明においては、塗料廃液と処理液の少なくともいずれか一方が細分されて混合されるが、塗料廃液を細分して供給する際には、例えば、塗料廃液が細分された液滴をシャワーのように処理槽液面の上方から供給しても良いし、廃液の細分ヘッドを液相中に挿入し、処理槽内の液相中で液滴を発生させて供給しても良い。一方、処理液を細分して供給する際には、細分ヘッドを処理槽内の液相中に挿入して細分せしめるのが好ましい。また、本発明においては、処理液と塗料廃液の両方が細分されていてもよく、両方を細分せしめることにより良好な乳化混合状態が得られやすく処理効率が向上する。【００１２】
上記塗料廃液あるいは処理液を細分する細分ヘッドとしては、供給管の先端部分にメッシュや細孔を有する構造、多孔体等を備えた構造、先端を閉じた管の先端部分に孔が明けられた構造等を有していてもよい。【００１３】
塗料廃液を細分する際の細分ヘッドのメッシュの目開き、シートあるいは多孔体の孔径としては、乳化状態が得られる大きさの孔径であれば特に制限はないが、例えば１〜７ｍｍが好ましい。孔径が大きすぎると良好な乳化混合状態が得られにくく、小さすぎると細分ヘッドが目詰まりを起こしやすくなるからである。【００１４】
処理液を細分する際の細分ヘッドのメッシュの目開き、シートあるいは多孔体の孔径は、大きすぎると良好な乳化混合状態が得られにくくなり、１μｍ〜５ｍｍが好ましく、特に好ましくは１０μｍ〜１００μｍである。【００１５】
本発明において、処理槽は、塗料廃液と処理液を十分混合させることができ、良好な乳化混合状態が得られれば良く、その形状等は特に限定されないが、その断面形状は矩形、円形等の形状の処理槽が用いられる。特に、円形の場合はデッドスペースが出来にくく液の流れが均一となり好ましい。【００１６】
本発明の塗料廃液処理方法によれば、電着塗料廃液、塗装ブースで捕集された塗料廃液、塗料ミスト、塗装時および乾燥時に捕集された揮発性有機溶剤廃液、塗装ブースや塗装用具の洗浄廃液、塗装ブース排気の洗浄廃水等の塗料廃液を処理することが出来る。【００１７】
本発明においては二個以上の処理槽を用いて、第一段の処理で得られた排水を次の処理槽に供給して多段処理をしても良い。多段処理をすることによりさらに高度に塗料廃液を処理することが出来る。【００１８】
本願発明に係る第２の塗料廃液の処理方法は、処理槽の一方の側から細分された処理液を供給し、対向する他の側から細分された、又は細分されていない塗料廃液を供給することを特徴とする。このように細分された処理液と塗料廃液とを対向した方向から供給することにより、両液が効率よく混合され、安定な乳化状態が形成される。その結果処理効率が向上し連続的に且つ短時間で処理を行うことが出来る。【００１９】
本発明に係る第３の塗料廃液の処理方法は、処理される塗料廃液が水系の廃液であり、処理液が非水溶性の有機溶剤であることを特徴とする。廃液を水系とし処理液を非水溶性の有機溶剤とすることにより、処理槽内で相互に溶解することがなく、塗料廃液の処理が効率よく行える。【００２０】
上記水系の塗料廃液としては、例えば、電着塗料廃液、塗装ブース内を水で洗浄して捕集された塗料廃液、水シャワー等で捕集された塗料ミストおよび塗装時や乾燥時に発生した揮発性有機化合物、また、塗料製造工程で塗料製造装置等を洗浄した際に生じる水系の塗料洗浄廃液、さらには、樹脂製造工程で生じる水系廃水、顔料製造工程で生じる水系廃水、添加剤製造工程で生じる水系廃液等があげられる。上述したごとく廃液を水系の廃液とし、非水溶性の有機溶剤からなる処理液を用いることにより水系の廃液の処理を効率よく行うことが出来る。【００２１】
上記処理液として用いられる非水溶性の有機溶剤としては実質的に非水溶性の有機溶剤であれば特に問題なく、例えば、ペンタン、ヘキサン、ヘプタン等の鎖状炭化水素、シクロヘキサン、トルエン等の環状炭化水素、ペンチルアルコール等のアルコール類、メチルイソブチルケトン、シクロヘキサノン等のケトン類、メチルブチルエーテル等のエーテル類、酢酸エチル、酢酸プロピル等のエステル類、クロロホルム等のハロゲン化炭化水素、灯油、ケロシン等の石油留分またはこれらの混合物等があげられる。これら溶剤としては特に限定されないが、鎖状炭化水素、環状炭化水素、ケトン類、エステル類、ハロゲン化炭化水素等が好適に用いられる。さらに好適には、取り扱いやすさ、価格等から灯油、ケロシン等が用いられる。【００２２】
本発明に係る第４の塗料廃液の処理方法は、塩析剤が添加されてなることを特徴とする。例えば顔料粒子などの粒子成分は少量の塩析剤を添加することにより、廃液中に懸濁した分散質粒子相互の吸着・集合による界面への凝析が促進され、並びに、廃液中の有機成分や界面活性剤の溶解度が下がることによって析出し又は処理液相に抽出されやすくなり、効率よく塗料廃液を処理することが出来るためである。すなわち、塗料廃液中の溶存成分である界面活性剤や溶剤は液−液抽出で回収・除去し、顔料などの粒子成分は液−液界面吸着で回収・除去するのである。【００２３】
なお、上記塩析剤としては、特に限定されず、一般的な塩析剤、例えば、マグネシウム、鉄、アルミニウム等の金属の塩化物、硫酸塩又はこれらの混合物等が用いられる。これらの内硫酸化合物が好適に用いられ、特に硫酸マグネシウムが好適に用いられる。【００２４】
上記塩析剤の添加量は特に限定されず、好ましくは０.０２〜０.２モル／ｌの割合で添加され、実験の結果、特に好ましくは０.０５〜０.１５モル／ｌである。【００２５】
上記塩析剤を処理槽に添加する方法は、最終的に廃液と処理液がエマルションフロー中で接触する際に塩析剤が解離したイオンが廃液中に存在していればよく、種々の方法を用いることができる。例えば、塩析剤の水溶液等を処理槽中に直接投入してもよいし、塩析剤を予め廃液に添加しておいてもよい。【００２６】
本発明に係る第５の塗料廃液の処理方法は、処理槽に珪酸塩鉱物の微粉末が添加されてなることを特徴とする。珪酸塩鉱物の微粉末を添加することにより、廃液中の顔料、樹脂等の固形の微粒子が効率よく凝集分離される。珪酸塩鉱物としては、特に限定されず、例えば、モンモリロナイト、カオリン、サポナイト、ヘクトライト、バイデライト、スティブンサイト、ノントロナイト、ゼオライト等が挙げられ、これらが単独で用いられても良いし混合して用いられても良い。天然鉱物においては、これらの内の一つ又は二つ以上の鉱物を主成分とするものが用いられる。これらの内モンモリロナイト、カオリン等が好適に用いられ、天然鉱物では、モンモリロナイトを主成分とするベントナイトやシラス等が好適に用いられる。【００２７】
上記珪酸塩鉱物の添加量は特に限定されず、好ましくは０.３〜３０ｇ／ｌの割合で添加され、実験の結果、特に好ましくは０.５〜５ｇ／ｌである。【００２８】
上記珪酸塩鉱物を処理槽に添加する方法は、最終的に廃液と処理液がエマルションフロー中で接触する際に珪酸塩鉱物の微粉末が廃液と処理液の界面近傍に存在していればよく、種々の方法を用いることができる。例えば、珪酸塩鉱物微粉末のスラリー等を処理槽中に直接投入してもよいし、珪酸塩微粉末を予め廃液に混合分散させておいてもよい。【００２９】
本発明に係る第６の塗料廃液の処理方法は、処理槽に微生物酵素液を含む凝集助剤が更に添加されてなることを特徴とする。塗料の種類等によっては、塩析剤と同時に微生物酵素液を含む凝集助剤を添加することにより、廃液相と処理液相の界面への粒子成分の凝集が促進される。この際、珪酸塩鉱物微粉末とは異なり、凝集助剤自体は凝集物中には取り込まれない。２相界面への粒子の凝集を促進させるメカニズムは明らかではないが、微生物酵素が凝集物を脱水することによって凝集が促進されるものと考えられる。【００３０】
上記微生物酵素を含む凝集助剤の添加量は特に限定されず、好ましくは０.３〜３０ｇ／ｌの割合で添加され、実験の結果、特に好ましくは０.５〜５ｇ／ｌである。【００３１】
上記微生物酵素を含む凝集助剤を処理槽に添加する方法は、最終的に廃液と処理液がエマルションフロー中で接触する際に凝集助剤が廃液と処理液の界面近傍に存在していればよく、種々の方法を用いることができる。例えば、凝集助剤を処理槽中に直接投入してもよいし、予め廃液に添加しておいてもよいし、予め処理液に添加しておいてもよい。【００３２】
本発明に係る第７の塗料廃液の処理方法は、塗料を含む水系の廃液を処理することにより再利用可能な排水を得ることを特徴とする塗料廃液の処理方法である。水系塗料廃液を処理することにより得られた排水は汚染物質が除去されているので、塗装ブース内の洗浄水として再利用が可能であり、塗装ブースや乾燥設備の排気中に含まれる溶剤等を捕集するために再利用することが可能である。また、廃棄する場合にも汚染物質が除去されているので廃棄が容易である。【００３３】
本発明に係る第８の廃液処理方法は、請求項３〜７に記載の塗料廃液の処理方法と同じであって、ただし処理されるべき廃液が、塗装の前処理工程、機械加工工程、樹脂製造工程、顔料製造工程、食品製造工程、又は洗浄工程から発生する有機成分を含有する水系の廃液である点が異なることを特徴とする。塗料を含まない廃液であっても、塗装の前処理で発生する脱脂廃液、リン酸処理廃液等、機械加工工程で発生する切削油や切削くずを含む廃液などは、本願発明に係る処理方法によって、塗料を含む水系廃液と同様に効率よく処理することができる【００３４】
本発明に係る上記第１〜第７の塗料廃液処理方法は廃液塗装ブースとして実施することができる。この場合、水系の廃液を処理することにより再利用可能な排水を得ることができる。塗装ブース内の洗浄水や、排気中の溶剤等を捕集するための水を循環使用することができる。【００３５】
上述したごとく、本発明に係る塗料廃液の処理方法は連続的に廃液を処理することが出来、また、装置がコンパクトで、構造も簡単であるので、運転操作が簡単である。
【発明の効果】
【００３６】
本発明の塗料廃液の処理方法によると、生物的な廃水処理方式に比べて、簡単で容易に塗料廃液を処理することが可能であり、抽出容量が大きいこと、迅速な抽出ができること、２液相の混合状態（エマルション）を保つために機械的外力を必要とせずランニングコストが低いことなどの優れた特徴がある。このため、廃液の発生場所で処理することも可能となる。また、本発明の方法によると処理して得られた排水を循環して再利用することが可能である。更に、塗装前処理により発生する廃液等の処理も可能である。
【発明を実施するための形態】
【００３７】
以下、本発明に係る廃液処理方法の実施態様について図面を参照して説明するが、本発明に限定的な解釈を与えるものではない。また、各実施形態及び実施例はいずれも排他的なものではなく、互いに補完的な関係にたつものである。従って、適宜これらを組み合わせて用いる場合が含まれるものである。
【００３８】
（第１の実施形態）
本発明に係る廃液処理方法の一例として、塗料廃液、処理液の両方が細分されて処理槽に供給される方法について、図１を参照して説明する。
図１に示すように、処理液は、処理槽１の下部から細分ヘッド３を通して供給され上部へと移動して処理液循環ポンプ７によって循環する。廃液は廃液タンク４からポンプ６により細分ヘッド２を通じて上部から処理槽１に供給される。処理槽１の内部では、廃液相と処理液相とが混合され、乳濁した流れ（エマルションフロー）が形成される。これは、廃液中の溶剤や有機成分等を抽出した処理液は上方に、有機成分が取り除かれた廃液は下方に移動する対向流である。エマルションフロー中で二相界面に凝析した固形分は、処理槽上部の処理液が分離した相の下に凝集し、凝集不溶物取出口８から取り出される。処理された廃液は処理槽１の下部にある排水取出口９から排水槽５に取り出される。
【００３９】
（第２の実施形態）
本発明に係る廃液処理方法の他の例を図２を参照して説明する。
図２に示すように、処理液は、処理液バッファ槽４３からポンプ３７によってよりくみ上げられて処理槽３１の下部から細分ヘッド３３を通して供給され、処理槽の上部へと移行し、凝集不溶物（スラッジ）溜まり４１を経由して取出口４２から処理液バッファ槽４３に還流する。
【００４０】
廃液は廃液タンク３４からポンプ３６によりくみ上げられて細分ヘッド３２を通じて上部から処理槽３１に供給される。処理槽３１の内部では、廃液相と処理液相とが混合され、乳濁した流れ（エマルションフロー）が形成される。これは、廃液中の溶剤や有機成分等を抽出した処理液は上方に、有機成分が取り除かれた廃液は下方に移動する対向流である。エマルションフロー中で二相界面に凝析した固形分は、処理槽上部の処理液が分離した相の下に凝集し、凝集不溶物（スラッジ）溜まり４１に溜まり、処理液とともに取出口４２から処理液バッファ槽４３に回収されて、その底部の凝集不溶物（スラッジ）溜まり４５に溜まり、取り除かれる。処理された廃液は排水取出口３９から排水タンク３５に取り出される。
【００４１】
（第３の実施形態）
本発明に係る廃液処理方法の他の例として、多段式の廃液処理方法について、二段処理の場合について、図３を参照して説明する。
図３に示すように、まず第一段の処理として、処理液は処理槽１１の下部から細分ヘッド１３を通して供給されて上方へと移動し、ポンプ１７で循環される。廃液は廃液タンク１４からポンプ１６により細分ヘッド１２を通じて上部から処理槽１１に供給される。処理槽１１の内部では、廃液相と処理液相とが混合されてエマルションフローが形成され、廃液中の溶剤や有機成分等を抽出した処理液は上方に、有機成分が取り除かれた廃液は下方に移動する。エマルションフロー中で二相界面に凝析した固形分は、処理槽上部の処理液が分離した相の下に凝集し、凝集不溶物（スラッジ）取出口１８から取り除かれる。処理された廃液は処理槽１１下部の排水取出口１９から排水タンク１５に取り出される。
【００４２】
次に、一段目の処理が終わった排水は、排水供給ポンプ２６によって二段目の処理工程に供給され、一段目と同様の処理が行われる。
【００４３】
（第４の実施形態）
本発明に係る廃液処理方法の他の例として、廃液を細分してシャワー方式で処理槽１に供給する方式を図４に示す。処理液は、処理槽１の下部から細分ヘッド３を通して供給され上部へと移動して処理液循環ポンプ７によって循環する。廃液は、廃液タンク４からポンプ６により処理槽１の上部へ、シャワーヘッド状の細分ヘッド２ａからシャワー状に供給される。処理槽１の内部では、廃液相と処理液相とが混合され、乳濁した流れ（エマルションフロー）が形成される。これは、廃液中の溶剤や有機成分等を抽出した処理液は上方に、有機成分が取り除かれた廃液は下方に移動する対向流である。エマルションフロー中で二相界面に凝析した固形分は、処理槽上部の処理液が分離した相の下に凝集し、凝集不溶物取出口８から取り出される。処理された廃液は処理槽１の下部にある排水取出口９から排水槽５に取り出される。
【００４４】
（第５の実施形態）
図５に、本発明に係る塗装ブースシステムの例を模式的に示す。塗装ブース５１内でスプレーノズル５２から塗料ミスト５３が塗装対象物に吹き付けられる。塗装ブース５１内では排気ファン５４が換気を行っており、塗装工程が行われる。塗装ブース５１の底部にはブース水溜まり５５が設けられ、不溶物（スラッジ）仕切り５６によって仕切られたパーティションを介して塗料廃液が塗料廃液処理装置５７に送られるようになっている。
【００４５】
塗装ブース５１から発生する塗料廃液は、エマルションフロー方式を用いた塗料廃液処理装置５７によって処理される。回収された排水は、さらにエマルションの分離を徹底するために油相液滴除去装置５８で処理することもできる。処理液は、凝集不溶物（スラッジ）トラップ５９で凝集不溶物が分離され凝集不溶物処理装置に送られる。また、処理液の一部は再び塗料廃液処理装置５７に還流して循環使用される。除去された凝集不溶物は、微生物処理などによって無害化することができる。
【実施例】
【００４６】
以下、表１を参照して本発明のいくつかの実施例を示す。
装置は、図１に示したものを用いた。なお、処理槽１は直径が６０ｍｍで長さが６００ｍｍの円筒状であり、上部には直径１１０ｍｍ長さ１９０ｍｍの円筒状の部品が取り付けられており、下部には直径１１０ｍｍ長さ１５０ｍｍの円筒形の部品が取り付けられている。【００４７】
【表１】
2011010587.tif 000003
【００４８】
実施例１〜９では、疑似塗料廃液として、塗料の水溶液を使用した。塗料廃液タンク４に１０ｌの水を投入し、所定量の硫酸マグネシウムその他の添加剤を加えて一部を処理槽１内に供給した。表１において、硫酸マグネシウムの添加量は廃液量に対する割合（ｍＭ、ミリモーラー）で表し、モンモリロナイト及び凝集助剤の添加量は重量（グラム）で表した。次に処理槽１内に灯油１.２ｌを投入した。この際に処理槽内の液面は塗料廃液細分ヘッド２が液中にある状態であった。次に塗料廃液タンク４内に所定量の自動車用水性塗料を投入し塗料廃液の試料とした。【００４９】
実施例１０及び１１では、機械加工工場で発生した切削油を含む水系廃液を廃液タンクに投入し、所定量のモンモリロナイトを加えて一部を処理槽１内に供給し、次に処理槽１内に灯油１.２ｌを投入した。この際に処理槽内の液面は塗料廃液細分ヘッドが液中にある状態であった。【００５０】
ポンプ７を稼働し０.５ｌ／分で処理液を循環させ、続いてポンプ６により０.８ｌ／分で塗料廃液を供給した。塗料廃液の供給を開始した後に処理水取り出し口から排水を抜き出して塗料廃液がなくなった時点で装置を停止させた。実施例５及び６では、回収した排水を廃液タンク４に戻して、処理を繰り返した。【００５１】
処理前の廃液と処理後の排水中の化学的酸素要求量（ＣＯＤ）、ノルマルヘキサン抽出物質（ｎ−Ｈｅｘ）と懸濁物質（ＳＳ）を測定して処理の効果を判定した。ＣＯＤはＪＩＳ  Ｋ０１０２．１７（１００℃における過マンガン酸カリウムによる酸素消費量）、ｎ−Ｈｅｘは昭和４９年環境庁告示第６４号付表４の方法、ＳＳは昭和４６年環境庁告示第５９号付表７の方法で測定した。【００５２】
いずれの実施例においても、ＣＯＤ、ｎ−Ｈｅｘ、ＳＳともに大きく減少しており、本発明によって、塗料廃液等からの有機成分と懸濁粒子成分の除去が同時に実現されたことが分かる。
【産業上の利用可能性】
【００５３】
本発明による塗料廃液処理方法によれば、電着塗料廃液、塗装ブースで捕集された塗料廃液、塗料ミスト、塗装時および乾燥時に捕集された有機溶剤、塗装の前処理で発生する脱脂廃液、リン酸処理廃液等液等幅広い塗料廃液が処理できる。また、装置がコンパクトで、構造も簡単であり、運転操作が容易である。さらには、処理された排水は不純物が除去されているので、塗装ブース内の洗浄水として再利用が可能であり、また、塗装ブースや乾燥設備の排気中に含まれる溶剤等を捕集するために再使用することが可能である。さらに、廃棄する場合にも不純物が除去されているので廃棄が容易である。従って、本発明の産業上の利用可能性は極めて大きい。
【図面の簡単な説明】
【００５４】
【図１】第１の実施形態の塗料廃液の処理方法を実施するための装置の一例を示した説明図である。
【図２】本発明に係る塗料廃液の処理方法を実施するための装置の他の例を示した図である。
【図３】図１に示した装置を二段に連結した例を示した図である。
【図４】図１に示した装置の廃液細分ヘッドを変更した例を示した図である。
【図５】本発明に係る塗装ブースシステムの例を模式的に示した図である。
【符号の説明】
【００５５】
１、１１、２１、３１  処理槽
２、２ａ、１２、２２、３２  廃液細分ヘッド
３、１３、２３、３３  処理液細分ヘッド
４、１４、３４        廃液タンク
５、１５、２５、３５  処理排水槽
６、１６、２６、３６  廃液供給ポンプ
７、１７、２７、３７  処理液循環ポンプ
８、１８、２８、      凝集不溶物（スラッジ）取出口
９、１９、２９、３９  排水取出口
４０  空気抜きバルブ
４１  凝集不溶物（スラッジ）溜まり
４２  処理液・凝集不溶物取出口
４３  処理液バッファ槽
４４  ジャマ板
４５  凝集不溶物（スラッジ）溜まり
５１  塗装ブース
５２  スプレーノズル
５３  塗料ミスト
５４  排気ファン
５５  ブース水溜まり
５６  不溶物仕切り
５７  エマルションフロー方式を用いた塗料廃液処理装置
５８  油相液滴除去装置
５９  凝集不溶物（スラッジ）トラップ
６０  凝集不溶物処理装置
【図１】
2011010587.tif 000004
【図２】
2011010587.tif 000005
【図３】
2011010587.tif 000006
【図４】
2011010587.tif 000007
【図５】
2011010587.tif 000008
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
抽出溶媒である処理液を、処理槽の一方の側から細分して供給し、
固形分を含む塗料廃液を、前記処理槽の対向する他の側から細分し又は細分せずに供給し、
処理液相と塗料廃液相とを混合せしめて乳濁した状態での流れ（エマルションフロー）を形成せしめることを特徴とする塗料廃液の処理方法。
【請求項２】
前記塗料廃液が、水系の廃液であり、前記処理液が非水溶性有機溶剤であることを特徴とする請求項１に記載の塗料廃液の処理方法
【請求項３】
処理槽に塩析剤が添加されてなることを特徴とする請求項１又は２に記載の塗料廃液の処理方法。
【請求項４】
処理槽に珪酸塩鉱物が添加されてなることを特徴とする請求項１乃至３のいずれかに記載の塗料廃液の処理方法。
【請求項５】
処理槽に微生物酵素液を含む凝集助剤が添加されてなることを特徴とする請求項１乃至４のいずれかに記載の塗料廃液の処理方法。
【請求項６】
請求項２乃至５のいずれか１項に記載の塗料廃液の処理方法により再利用可能な排水を得ることを特徴とする塗料廃液の処理方法。
【請求項７】
請求項６に記載の塗料廃液の処理方法を実施する装置を備えたことを特徴とする塗装ブースシステム。
【国際調査報告】
2011010587.tif 000009
2011010587.tif 000010
2011010587.tif 000011
2011010587.tif 000012